(57)【要約】      （修正有）【課題】補助握りに片手を乗せて体重をかけながら立ち上がることができ、歩行時には補助握りを主握りに密接できて両握りを片手だけで把持できる杖を提供すること。【解決手段】上端に主握り１２を有し、主握りの下方に、上下方向の調節ができ且つ任意位置にて固定される回動自在の補助握り１３を設ける。補助握りが主握りに密接して位置決めでき、密接時に主握りと補助握りの両方を片手で把持できる。【選択図】図１
0003118974.tif 000002
【実用新案登録請求の範囲】
【請求項１】
下端に足カバーを備えたシャフトの上端に主握りを有し、主握りの下方に、上下方向の調節ができ且つ任意位置にて固定される回動自在の補助握りを設けた二段握り式杖であって、補助握りが主握りに密接して位置決めでき、密接時に主握りと補助握りの両方を片手で把持できることを特徴とする二段握り式杖。
【請求項２】
シャフトが、２枚の導体の間に絶縁体を挟着した除去部材にバリスター等を導電接続してなる静電気除去具を備えていることを特徴とする請求項１に記載の二段握り式杖。
【請求項３】
主握りの底部にマグネット片又は金属片を固着し、補助握りの頂部に金属片又はマグネット片を固着したことを特徴とする請求項１又は２に記載の二段握り式杖。
【考案の詳細な説明】
【技術分野】
【０００１】  本考案は、主握りの下に補助握りを有する二段握り式杖に関する。
【背景技術】
【０００２】  一般的な杖は、シャフトの上端に握りを有し下端に足カバーを設けているが、これだと手の支えとなるものは上端の握りだけであり、例えば座った姿勢から立ち上がる時に上端握りを掴む手は片側だけとなるので、他方の手はそのまゝか又は握りを掴んだ手の上に乗せるのがせいぜいであり、体重が加わると杖全体が傾いたりしてすこぶる不安定とならざるを得ず、特に中腰時における足腰にかゝる負担は大きく、それゆえこの問題解決に向けた杖の提案もなされてはいる（例えば特許文献１参照）。ところで傘と異なって杖は、それを必要とする老人などにとって天候に関係なく外出時には常時携帯するものであり、絶えず体に接触しているので場合によって衣類などの摩擦による静電気発生がみられ、これが解決のための技術も従来わずかながら提案されている（例えば特許文献２参照）。
【特許文献１】特開２００４−７３３３１号公報
【特許文献２】登録実用新案第３０７９４３３号公報
【考案の開示】
【考案が解決しようとする課題】
【０００３】  特許文献１に記載の技術は、図４のように、シャフト５１の上端にＴ字形の主握り５２があり、この握り５２の下方に、補助握り５３を備えたもので、補助握り５３はシャフト５１を上下に移動し且つ回動可能な摺動体５４に固着されており、摺動体５４は、補助握り５３に体重がかゝっても下降はしないが、補助握り５３を押し上げると上昇する仕組みとなっている。したがって使用時に、補助握り５３を所望する位置に設定することにより片手は上端の握り５２を、また他方の手は補助握り５３を掴むことができて立上がり時等に重心が安定し、中腰の姿勢であっても足腰に負担がかゝらないように工夫されている。【０００４】  しかしながら上記技術は、主握り５２の下方位置に補助握り５３が絶えず突出状態となっているので体裁が悪く、またその突出した個所によって体の一部が接触するといった恐れもあり、歩行中などは補助握り５３を必要としないので無用の長物になるといった不具合があった。ところで従来技術にあっては体重を乗せることだけが補助握り５３の機能であり、このため補助握り５３の位置は片手を絶えず支えやすくする位置であるシャフト５１の中間付近に置くのをベターとし、またＴ字形の主握り５２の下垂部５２’がストッパーとなって上限位置にも限界があり、このため杖全体の美観を考慮するといった知見に欠け、主握り５２もＴ字形の長い下垂部５２’がシャフト５１の上部外側に嵌合されるという素朴な形態を当然としていた。【０００５】  特許文献２に記載の技術は、図５に示すように、金属線６３を埋め込んだ握り６２からシャフト６１をへて先端部分６４まで導電材とし、接地部に金属錘６５を設ける構成としたものである。すなわち人体に発生した静電気を、握り６２をつかんで杖を地面に突くと手のひらから放電し、シャフト６１から接地部の金属錘６５より地面に接して放電作用がなされるゆえに静電気が発生しやすい衣服をきても電荷はなく静電気防止ができるというものである。しかしながらこの技術によるとシャフト６１とは別に金属錘６５を設ける必要があって杖全体の重量がその分余計となるのに加え、金属錘６５は鎖６６で吊ってあるため杖を動かすたびに揺動してシャフト６１の先端部分６４から衝当音が発生するという煩わしさがあり、また金属錘６５を設ける必要上、構造が複雑となって見栄えが悪く、製作にも手数がかゝってコスト高となる等の問題点があった。【０００６】  本考案は上記従来技術に鑑みてなされたもので、補助握りによって立上がり時・中腰の状態にあっては体の重心が安定し、すっきりした外観とすることができて体裁が良く、歩行の妨げになるようなおそれもなく握り具合も良好で、しかも静電気防止機能を有する二段握り式杖を提供しようとするものである。
【課題を解決するための手段】
【０００７】  すなわち本考案は、下端に足カバー１５を備えたシャフト１１の上端に主握り１２を有し、主握り１２の下方に、上下方向の調節ができ且つ任意位置にて固定される回動自在の補助握り１３を設けた二段握り式杖であって、補助握り１３が主握り１２に密接して位置決めでき、密接時に主握り１２と補助握り１３の両方を片手で把持できることを特徴としている。【０００８】  また本考案は前記二段握り式杖におけるシャフト１１に静電気除去具Ａを備えたもので該静電気除去具Ａは、２枚の導体１８の間に絶縁体１９を挟着した除去部材１７にバリスター２０等を導電接続してなることを特徴としている。【０００９】  更に本考案は、主握り１２の底部にマグネット片３０又は金属片３１を固着し、補助握り１３の頂部に金属片３１又はマグネット片３０を固着したことを特徴としている。
【考案の効果】
【００１０】  本考案の杖は補助握りを有し、該補助握りは従来公知の杖同様に上方へ引き上げる操作をするとおのずから上昇するが、体重をかけると固定して下方へは移動しないので安心して取り扱いができ、しかも補助握りを主握りに密接して位置決めできるため従来のように補助握りがシャフトの中間に突出して体の一部に触れたり歩行時等の妨げになる恐れがなく、また突出することによって見栄えが悪くなるといった不都合を生ずることがない。【００１１】  主握りと補助握りを密接すると、使用時に主握りと補助握りの両方を片手で把持することができ、あたかも細い棒を握るよりもある程度の太さを有する棒のほうが握り具合が良いのと同様で、特に手の大きな人には確固とした握り感触が得られ、また当然ながら補助握りを少しく離せば主握りだけのつかみ方もできるという一石二鳥的効果を奏するとともに、主握りと補助握りを密接させると一体状となって違和感がなく、シャフト中間に突出物が存在しないため杖全体がすっきりとした外観を呈する。【００１２】  シャフトに静電気除去具を備えることで主握りを握った瞬間に手指に帯電した電荷（静電気）が除去され、電気的衝撃を受けることがないので安心して杖の取り扱いができる。【００１３】  主握りと補助握りの間にマグネット片を介在させることで両者が正しい形で密着し且つその状態が維持されるので、あたかも１個の握りであるかのような握りやすさがあって安定した歩行ができる。
【考案を実施するための最良の形態】
【００１４】  図面を参照して本考案を説明すると、図１において１１はチタン又はマグネシューム合金からなる強靭で軽量なシャフトであり、上端にウエーブ状としたＬ字形の主握り１２を有している。該主握り１２の下垂部１２’はシャフト１１内に固着され、シャフト１１下端にはゴム製の足カバー１５が取り付けられている。【００１５】  １３は主握り１２の下方に配置した主握りとフィットする補助握りであり、シャフト１１に嵌合した摺動体１４を有し、上下方向の調節ができ且つ任意位置にて固定することができる機構を備え、また摺動体１４とともに補助握り１３は回動自在であっていつでも持ちやすい方向に位置決めすることができる。この補助握り１３は上から体重がかゝっても不動状態を維持するので座姿勢から立ち上がる時に片方の手で主握り１２をつかみ、他方の手で補助握り１３をつかんで体重を乗せれば楽に立ち上がることができる。したがって使用時には（ａ）のように補助握り１３を、主握り１２とは反対側に向ける。【００１６】  摺動体１４は、補助握り１３に重みが加わっても例えば自在鉤のように確固として支える手段を備えている。この手段は、体重を乗せると補助握り１３にトルクが発生して摺動体１４内にある摩擦片（不図示）がシャフト１１を圧接する方向に作用するため補助握り１３が下降することなく不動状態を維持するといった機構、あるいは補助握り１３とシャフト１１を、補助握り１３の水平時には相互が圧接状となって補助握り１３は滑ることなく不動状態を維持するといった機構などの公知手段を用いることができる。【００１７】  このように体重がかゝると補助握り１３は微動だにしないが、上記の機構は逆に補助握り１３をつかんで引き上げることはできるため補助握り１３の上方への移動は容易にできる。また補助握り１３を下降させるには、例えばシャフト１１と補助握り１３の圧接を解く図示のような解除摘み１６を摺動体１４の下面に取り付け、この摘み１６をつかんで引き下げるとシャフト１１と補助握り１３の圧接が解かれて補助握り１３を自由に動かすことができ、また図示はしないが例えば補助握り１３の下面に解除用の凸部を設け、この凸部を押圧して補助握り１３を下降させることなどもできること勿論である。【００１８】  補助握り１３を限りなく上昇させると（ｂ）のように主握り１２に密接して位置決めでき、あたかも握りが二段でありながら一体のものゝように見えて違和感を生じない。そのために主握り１２の下面は、補助握り１３の上面とフィットする構造に形成される。杖は手の大きさに関係なく握り部が形成されており、手が大きいと細い握り部が心もとなく思われることもある。そこで補助握り１３を主握り１２に密接させることにより両方の握り１２・１３を片手でつかむことが容易にでき（図２参照）、主握り１２だけをつかむのとは異なった十分な握り感触が得られる。なお主握り１２より補助握り１３を離間すれば主握り１２だけをつかめることは当然のことである。【００１９】  しかして主握り１２と補助握り１３はマグネット片３０と金属片３１によって確固として位置決めされる。すなわち補助握り１３はシャフト１１の任意位置にて固定できるが、水平方向（横方向）には回動可能なためやゝもすると主握り１２と齟齬し、握り具合が悪くなるといった恐れがあるが、マグネット片３０と金属片３１を対設することにより両者の合致によって補助握り１３が横移動することがなく、両握りが確固として一体状態を維持できる。図ではマグネット片３０を主握り１２の底部に固着し、金属片３１を補助握り１３に固着しているが、この逆に、マグネット片３０を補助握り１３に固着し、金属片３１を主握り１２に固着するようにしてもよい。【００２０】  図３はシャフト１１に静電気除去具Ａを備えた形態を示したもので、この静電気除去具Ａは、２枚の導体１８の間に絶縁体１９を挟着した除去部材１７にバリスター２０・放電管２１を直列接続（夫々が単独でも可）してあればよく、こうすることによって２枚の導体１８の電位差がバリスター２０の電圧（１００Ｖ以下）を超えるか又は放電管２１の放電圧以上になると夫々が熱変換や光変換されて２枚の導体１８の電位差がゼロになって電荷がなくなるという仕組みであり、主握り１２をつかんでも手指に帯電した電荷（静電気）は除去され、したがって静電気による強い衝撃を回避できる。またバリスター電圧をより高くすることで、落雷防止用（６２０Ｖ以上）ともなり、その場合高低のものを並列につなげるようにすると静電気除去と兼用できる。なお図中２２は主握り１２に取り付けたゴム材である。而して上記静電気除去具Ａは、特開２００４−４７４７５に開示された技術に依拠している。【００２１】  上記した主握り１２と補助握り１３は図示の形状以外の組み合わせ形状とすることもでき、握り以外にも、例えばシャフト１１の形状・材質、静電気除去具Ａの取付位置など本考案の目的効果を奏する範囲における変更も本考案の自由な実施範囲に属する。
【図面の簡単な説明】
【００２２】
【図１】  本案杖を示す説明図である。
【図２】  主握りと補助握りの両方を把持した説明図である。
【図３】  主握りに静電気除去具を取り付けた説明図である。
【図４】  従来の二段杖を示す説明図である。
【図５】  静電気除去機能を有する従来例を示す説明図である。
【符号の説明】
【００２３】  １１  シャフト
１２  主握り
１３  補助握り
１４  摺動体
１５  足カバー
Ａ    静電気除去具
１７  除去部材
１８  導体
１９  絶縁体
２０  バリスター
２１  放電管
２２  ゴム材
【図１】
0003118974.tif 000003
【図２】
0003118974.tif 000004
【図３】
0003118974.tif 000005
【図４】
0003118974.tif 000006
【図５】
0003118974.tif 000007